(57)【要約】      （修正有） 【課題】テントのドア部位を通じて雨水が侵入することを防止できるテント用ドアの防水構造。【解決手段】テント用ドア部位の防水のために，内側ドア布地１１２の第１垂直ジッパテープ１１３には，裁縫線部位を通じて流入する外側の雨水をテント下部に誘導して排出させる第１補助布地１１７を縫着した。また，第１補助布地１１７に密着された状態で，両端が内側ドア布地１１２の先端を覆う雨水誘導布地１１８を縫着し，雨水誘導布地１１８の内側には雨水を下方へ誘導するためのＵ字断面の空間部１２０が形成される。そして，内側ドア布地１１２と雨水誘導布地１１８の一端及び第１補助布地１１７を共に裁縫する時に生じる裁縫線部位を防水するために，第１補助布地１１７の裏面の裁縫線部位には第１防水テープ１１４を貼設する。【選択図】図４
2005155305.tif 000002
【特許請求の範囲】
【請求項１】
内側ドア布地と，前記内側ドア布地の外側に配される外側ドア布地と，前記内側ドア布地の内側垂直方向縁部に縫着される第１垂直ジッパテープと，前記外側ドア布地の外側垂直方向縁部に前記第１垂直ジッパテープと対応するように縫着される第２垂直ジッパテープと，前記第１垂直ジッパテープの第１垂直ジッパ歯と前記第２垂直ジッパテープの第２垂直ジッパ歯とを結合／分離させる垂直スライダとを含む，テント用ドア部の防水構造であって：
内部に空間部が形成されるようにＵ字断面に折り曲げられ，両端が前記内側ドア布地の垂直方向縁部を挟み込むように配される雨水誘導布地と，
一側が前記内側ドア布地の第１垂直ジッパテープに縫着され，他側が前記雨水誘導布地よりも内側に配されて前記内側ドア布地と前記雨水誘導布地とともに縫着される第１垂直補助布地と，
前記内側ドア布地と前記雨水誘導布地と前記第１垂直補助布地との裁縫線部位を防水するように第１垂直補助布地裏面の裁縫線部位に貼設される第１防水テープとを備えたことを特徴とする，テント用ドア部の防水構造。
【請求項２】
内側ドア布地と，前記内側ドア布地の外側に配される外側ドア布地と，前記内側ドア布地の内側垂直方向縁部に縫着される第１垂直ジッパテープと，前記外側ドア布地の外側垂直方向縁部に前記第１垂直ジッパテープと対応するように縫着される第２垂直ジッパテープと，前記第１垂直ジッパテープの第１垂直ジッパ歯と前記第２垂直ジッパテープの第２垂直ジッパ歯とを結合／分離させる垂直スライダとを含む，テント用ドア部の防水構造であって：
一側が前記外側ドア布地の第２垂直ジッパテープに縫着され，他側が前記外側ドア布地の内側に縫着される第２垂直補助布地と，
前記外側ドア布地と前記第２垂直補助布地との裁縫線部位を防水するように第２垂直補助布地裏面の裁縫線部位に貼設される第２防水テープとを備えたことを特徴とする，テント用ドア部の防水構造。
【請求項３】
前記外側ドア布地の裏面には第１マジックテープが設けられ，前記内側ドア布地の表面の第１マジックテープの対応位置には第２マジックテープが設けられて，前記外側ドア布地の裏面と前記内側ドア布地の表面とを固着することが可能であることを特徴とする，請求項１または２に記載のテント用ドア部の防水構造。
【請求項４】
本体布地と，内側ドア布地と，前記内側ドア布地の外側に配される外側ドア布地と，前記内側ドア布地の内側水平方向縁部に縫着される第１水平ジッパテープと，前記外側ドア布地の外側水平方向縁部に縫着される第２水平ジッパテープと，前記第１水平ジッパテープおよび前記第２水平ジッパテープと対応するように前記本体布地の下端部に縫着された下部ジッパテープと，前記第１水平ジッパ歯と前記下部ジッパテープとを結合／分離させる第１水平スライダと，前記第２水平ジッパ歯と前記下部ジッパテープとを結合／分離させる第２水平スライダとを含む，テント用ドア部の防水構造であって：
前記下部ジッパテープと共に本体布地の下部に縫着されて，前記内側及び外側ドア布地に縫着された第１及び第２ジッパテープの下部裁縫線部位から侵入した雨水を外側に排出させる雨水排出布地と，
前記本体布地裏面の裁縫線部位に粘着されて，雨水排出布地の裁縫時に生じる裁縫線部位から侵入する雨水を阻止する下部防水テープとを含むことを特徴とするテント用ドアの防水構造。
【請求項５】
前記雨水排出布地は，前記下部ジッパテープの下端部を挟持するように折り曲げられて，前記下部ジッパテープと共に本体布地の下部に縫着されることを特徴とする，請求項４に記載のテント用ドアの防水構造。
【発明の詳細な説明】
【技術分野】
【０００１】
本発明は，テントに関し，より詳細には，テント用ドアの防水構造及びその形成方法に関する。
【背景技術】
【０００２】
従来のテント用ドアに適用されている防水構造について，図１〜図３を参照しながら説明する。
【０００３】
図１に示すように，従来のテントのドア部の最内側には，蚊やハエなどの侵入を防止するための網状布地１１が配されており，この網状布地１１を覆うように，内側ドア布地１２と外側ドア布地２とが互いに重なる状態で配置されている。内側ドア布地１２と外側ドア布地２の開閉のために，内側ドア布地１２の裏面縁部には，第１ジッパテープ１３が取り付けられている。第１ジッパテープ１３の外縁部には，垂直方向に延びる複数のジッパ歯(以下，垂直ジッパ歯という)及び水平方向に延びる複数のジッパ歯(以下，水平ジッパ歯という)が設けられている。第１ジッパテープ１３の垂直ジッパ歯は，内側ドア布地１２の外縁部から外側に張り出すように配され，水平ジッパ歯は，内側ドア布地１２の外縁部の内側に設けられている。なお，第１ジッパテープ１３は，図示の例では，構造を明確にするために，内側ドア布地１２に取り付けられていない状態で示されている。
【０００４】
同様に，外側ドア布地１２の裏面には，第１ジッパテープ１３と対応する第２ジッパテープ３が取り付けられている。第２ジッパテープ３の外縁部には，第１ジッパテープ１３のジッパ歯と対応する複数の垂直及び水平ジッパ歯が設けられている。そして，第１および第２ジッパテープ１３，３の垂直ジッパ歯を結合及び分離するために，第１及び第２ジッパテープ１３，３には，垂直方向に摺動可能な垂直スライダ４が設けられている。
【０００５】
テントの下側の本体布地１には，第１及び第２ジッパテープ１３，３の下端に対応する下部ジッパテープ６が取り付けられている。この下部ジッパテープ６には，第１及び第２ジッパテープ１３，３の水平ジッパ歯と対応するジッパ歯が設けられている。そして，第１及び第２ジッパテープ１３，３の水平ジッパ歯と下部ジッパテープ６のジッパ歯の結合及び分離のために，第１及び第２ジッパテープ１３，３と下部ジッパテープ６には，水平方向に摺動可能な水平スライダ１４が設けられている。
【０００６】
垂直スライダ４と水平スライダ１４を摺動させて，第１ジッパテープ１３，第２ジッパテープ３，下部ジッパテープ６をそれぞれ分離させることにより，ドアが開放される。同様に，垂直スライダ４と水平スライダ１４を摺動させて，第１ジッパテープ１３，第２ジッパテープ３，下部ジッパテープ６をそれぞれ結合させることにより，ドアが閉止される。
【発明の開示】
【発明が解決しようとする課題】
【０００７】
しかし，従来のテントにおいては，図２に示すように，テントの外側から内側ドア布地１２に雨水が流入すると，この雨水は，内側ドア布地１２と第１ジッパテープ１３の裁縫線５の部位を通じて，テント内側に侵入してしまうことがあった。
【０００８】
また，内側ドア布地１２の第１ジッパテープ１３に形成された垂直ジッパ歯と外側ドア布地２の第２ジッパテープ３に形成された垂直ジッパ歯とが噛み合った状態でも，これらの歯のスキ間を通じて雨水が侵入することがあった。
【０００９】
さらに，図３に示すように，第１及び第２ジッパテープ１３，３の下端から侵入した雨水は，本体布地１に取り付けられた下部ジッパテープ６に流れ込み，下部ジッパテープ６と本体布地１の裁縫線を通過したり，下部ジッパテープ６に取り付けられた複数のジッパ歯を通じてテントの内側に侵入したりすることがあった。
【００１０】
ここで，各ジッパテープ１３，３，６と，内側ドア布地１２と，外側ドア布地２及び本体布地１をそれぞれ連結する裁縫線部位に防水テープを貼設すれば簡単に解決できることが予見できる。
【００１１】
しかし，各ジッパテープ１３，３，６には材質上防水テープが粘着しないために，現在までは特別な解決策を講じることができない実情である。
【００１２】
したがって，従来のテントのドアは徹底した防水がなされないために，テント内側でもう一つの防水対策を立てなければならない問題点がある。
【００１３】
本発明は，上記問題点に鑑みてなされたものであり，本発明の目的は，テントの内側ドア布地に縫着された第１ジッパテープに流入する雨水を下部に誘導して排出させることによって，雨水が外側ドア布地の裁縫線から侵入することが防止でき，第１及び第２ジッパテープの下部裁縫線から侵入した雨水を外側に誘導して排出させることによって，テントのドア部位を通じて雨水が侵入することを徹底して防止することができるテント用ドアの防水構造を提供することにある。
【課題を解決するための手段】
【００１４】
上記課題を解決するために，本発明の第１の観点によれば，内側ドア布地と，前記内側ドア布地の外側に配される外側ドア布地と，前記内側ドア布地の内側垂直方向縁部に縫着される第１垂直ジッパテープと，前記外側ドア布地の外側垂直方向縁部に前記第１垂直ジッパテープと対応するように縫着される第２垂直ジッパテープと，前記第１垂直ジッパテープの第１垂直ジッパ歯と前記第２垂直ジッパテープの第２垂直ジッパ歯とを結合／分離させる垂直スライダとを含む，テント用ドア部の防水構造であって：内部に空間部が形成されるようにＵ字断面に折り曲げられ，両端が前記内側ドア布地の垂直方向縁部を挟み込むように配される雨水誘導布地と；一側が前記内側ドア布地の第１垂直ジッパテープに縫着され，他側が前記雨水誘導布地よりも内側に配されて前記内側ドア布地と前記雨水誘導布地とともに縫着される第１垂直補助布地と；前記内側ドア布地と前記雨水誘導布地と前記第１垂直補助布地との裁縫線部位を防水するように第１垂直補助布地裏面の裁縫線部位に貼設される第１防水テープとを備えたことを特徴とする，テント用ドア部の防水構造が提供される。
【００１５】
さらに，本発明の別の観点によれば，内側ドア布地と，前記内側ドア布地の外側に配される外側ドア布地と，前記内側ドア布地の内側垂直方向縁部に縫着される第１垂直ジッパテープと，前記外側ドア布地の外側垂直方向縁部に前記第１垂直ジッパテープと対応するように縫着される第２垂直ジッパテープと，前記第１垂直ジッパテープの第１垂直ジッパ歯と前記第２垂直ジッパテープの第２垂直ジッパ歯とを結合／分離させる垂直スライダとを含む，テント用ドア部の防水構造であって：一側が前記外側ドア布地の第２垂直ジッパテープに縫着され，他側が前記外側ドア布地の内側に縫着される第２垂直補助布地と；前記外側ドア布地と前記第２垂直補助布地との裁縫線部位を防水するように第２垂直補助布地裏面の裁縫線部位に貼設される第２防水テープとを備えたことを特徴とする，テント用ドア部の防水構造が提供される。
【００１６】
なお，前記外側ドア布地の裏面には第１マジックテープが設けられ，前記内側ドア布地の表面の第１マジックテープの対応位置には第２マジックテープが設けられて，前記外側ドア布地の裏面と前記内側ドア布地の表面とを固着することが可能であるように構成しても良い。
【００１７】
また，本発明のさらに別の観点によれば，本体布地と，内側ドア布地と，前記内側ドア布地の外側に配される外側ドア布地と，前記内側ドア布地の内側水平方向縁部に縫着される第１水平ジッパテープと，前記外側ドア布地の外側水平方向縁部に縫着される第２水平ジッパテープと，前記第１水平ジッパテープおよび前記第２水平ジッパテープと対応するように前記本体布地の下端部に縫着された下部ジッパテープと，前記第１水平ジッパ歯と前記下部ジッパテープとを結合／分離させる第１水平スライダと，前記第２水平ジッパ歯と前記下部ジッパテープとを結合／分離させる第２水平スライダとを含む，テント用ドア部の防水構造であって：前記下部ジッパテープと共に本体布地の下部に縫着されて，前記内側及び外側ドア布地に縫着された第１及び第２ジッパテープの下部裁縫線部位から侵入した雨水を外側に排出させる雨水排出布地と；前記本体布地裏面の裁縫線部位に粘着されて，雨水排出布地の裁縫時に生じる裁縫線部位から侵入する雨水を阻止する下部防水テープとを含むことを特徴とするテント用ドアの防水構造が提供される。
【００１８】
なお，前記雨水排出布地は，前記下部ジッパテープの下端部を挟持するように折り曲げられて，前記下部ジッパテープと共に本体布地の下部に縫着されるように構成しても良い。
【発明の効果】
【００１９】
以上のように本発明によれば，テントの内側ドア布地に縫着した第１ジッパテープから流入する雨水を下部に誘導して排出することによって，雨水が外側ドア布地の裁縫線から侵入することを防止でき，第１及び第２ジッパテープの下部裁縫線から侵入した雨水を外側に誘導して排出することによって，テントのドア部位から雨水が侵入することを徹底的に防止できる。
【発明を実施するための最良の形態】
【００２０】
以下，添付図面を参照して本発明の好ましい実施形態に係るテント用ドアの防水構造について詳細に説明する。なお，以下の説明および添付図面において，略同一の機能構成を有する構成要素には同一の符号を付することにより重複説明を省略する。
【００２１】
図４および図５に示すように，テント用ドアの内側には，蚊やハエなどの侵入を防止するために，網状布地１２１が配されている。さらに，網状布地１２１を覆うように，内側ドア布地１１２と，内側ドア布地１１２の外側に配される外側ドア布地１０２が配されている。内側ドア布地１１２の内側垂直方向縁部には，第１垂直ジッパテープ１１３が縫着されており，外側ドア布地１０２の外側垂直方向縁部には，第１垂直ジッパテープ１１３と対応するように第２垂直ジッパテープ１０３が縫着されている。第１垂直ジッパテープ１１３の第１垂直ジッパ歯と第２垂直ジッパテープ１０３の第２垂直ジッパ歯とを結合／分離させるために，垂直スライダ１０６が設けられている。
【００２２】
さらに，内側ドア布地１１２の内側水平方向縁部には，第１水平ジッパテープ１１３ａが縫着されている。外側ドア布地１０２の外側水平方向縁部には，第２水平ジッパテープ１０３ａが縫着されている。第１水平ジッパテープ１１３ａおよび第２水平ジッパテープ１０３ａと対応するように本体布地１０１の下端部には下部ジッパテープ１１９が縫着されている。第１水平ジッパ歯と下部ジッパテープ１１９とを結合／分離させるために，第１水平スライダ１１６が設けられており，さらに，第２水平ジッパ歯と下部ジッパテープ１１９とを結合／分離させる第２水平スライダ（不図示）が設けられている。
【００２３】
次に，本実施の形態にかかるテント用ドア部の防水構造について説明する。
【００２４】
このような構成のテントドア部位の防水のために，内側ドア布地１１２の第１垂直ジッパテープ１１３には，裁縫線部位を通じて流入する外側の雨水をテント下部に誘導して排出させる第１補助布地１１７を縫着した。
また，第１補助布地１１７に密着された状態で，両端が内側ドア布地１１２の先端を覆う雨水誘導布地１１８を縫着し，雨水誘導布地１１８の内側には雨水を下方へ誘導するためのＵ字断面の空間部１２０が形成される。
【００２５】
そして，内側ドア布地１１２と雨水誘導布地１１８の一端及び第１補助布地１１７を共に裁縫する時に生じる裁縫線部位を防水するために，第１補助布地１１７の裏面の裁縫線部位には第１防水テープ１１４を貼設する。
【００２６】
一方，外側ドア布地１０２には第２垂直ジッパテープ１０３を縫着するための第２補助布地１０９を更に備える。この第２補助布地１０９を外側ドア布地１０２に裁縫する時に生じる裁縫線部位から雨水が侵入することを防止するために，外側ドア布地１０２の裏面の裁縫線部位には第２防水テープ１０４が貼設される。
【００２７】
なお，外側ドア布地１０２の裏面には第１マジックテープ１０５が設けられ，内側ドア布地１１２の表面の第１マジックテープ１０５の対応位置には第２マジックテープ１１５が設けられて，外側ドア布地１０２の裏面と内側ドア布地１１２の表面とを固着するように構成し，ドアの開閉時の便宜性を高め，内側及び外側ドア布地１１２，１０２をより固く結着させることができる。
【００２８】
また，内側及び外側ドア布地１１２，１０２に縫着された第１及び第２水平ジッパテープ１１３ａ，１０３ａの下部裁縫線部位から侵入した雨水を外側に排出させるために雨水排出布地１０７を更に備える。この雨水排出布地１０７は下部ジッパテープ１１９と共に本体布地１０１の下部に縫着される。
【００２９】
本体布地１０１の裏面の裁縫線部位には雨水排出布地１０７の裁縫時に生じる裁縫線部位から侵入する雨水を阻止するために，下部防水テープ１０８が更に粘着される。
【００３０】
なお，雨水排出布地１０７は，図７に示すように，下部ジッパテープ１１９の下端部を挟持するように折り曲げられて，下部ジッパテープ１１９と共に本体布地１０１の下部に縫着される。
【００３１】
次に，上記のように構成された本発明の防水構造の作用について詳細に説明する。
【００３２】
まず，図４に示すように，内側ドア布地１１２側の第１垂直ジッパテープ１１３には第１補助布地１１７が裁縫される。この第１裁縫布地１１７は第１垂直ジッパテープ１１３の裏面に第１防水テープ１１４が粘着しないため，第１防水テープ１１４が粘着できる空間を確保するために補助的に裁縫するものである。
【００３３】
そして，第１補助布地１１７には雨水誘導布地１１８の両端部が折り畳まれた状態で密着される。この時，雨水誘導布地１１８の両端部間には内側ドア布地１１２が挿入されて，内側ドア布地１１２と雨水誘導布地１１８の一端は第１補助布地１１７に裁縫する。
【００３４】
このように，第１補助布地１１７の一端は第１垂直ジッパテープ１１３に縫着され，第１垂直ジッパテープ１１３の他端は雨水誘導布地１１８の一端部に図５に示すように縫着される。
【００３５】
そして，雨水誘導布地１１８が裁縫された第１垂直ジッパテープ１１３の裏面の裁縫線には第１防水テープ１１４を容易に粘着できる。
【００３６】
したがって，内側ドア布地１１２の第１垂直ジッパテープ１１３方向に雨水が流入すれば，この雨水は雨水誘導布地１１８と接触しながら空間部１２０に誘導される。次に，図５に示すような下方に流れながら地面に排出される。
【００３７】
このように雨水誘導布地１１８の雨水誘導作用により第１補助布地１１７と第１垂直ジッパテープ１１３の裁縫線には雨水が到達できなくなるので，これを通じて雨水が侵入することを確実に防止することができる。
【００３８】
なお，雨水誘導布地１１８の一端部と内側ドア布地１１２及び第１補助布地１１７を裁縫する裁縫線は雨水と接触する。しかし，第１補助布地１１７の裏面の裁縫線部位に第１防水テープ１１４が粘着しているので，雨水が侵入してもテント内側に漏水することがなくなる。
【００３９】
かかる構成により，内側ドア布地１１２を通じて第１垂直ジッパテープ１１３に流入する雨水の侵入を徹底的に防止することができる。
【００４０】
一方，本実施の形態かかる外側ドア布地１０２には内側ドア布地１１２の第１垂直ジッパテープ１１３の垂直ジッパ歯と結合または分離するための複数の垂直ジッパ歯を具備している第２垂直ジッパテープ１０３が縫着される。
【００４１】
この第２垂直ジッパテープ１０３も第２防水テープ１０４を直接粘着できないため，第２補助布地１０９を利用する。
【００４２】
すなわち，第２補助布地１０９の一側には第２垂直ジッパテープ１０３を縫着し，第２補助布地１０９の他側には外側ドア布地１０２を縫着させる。
【００４３】
そして，第２補助布地１０９と外側ドア布地１０２の裁縫線１１１部上には，図４及び図６に示すように第２防水テープ１０４を適切に粘着させることができる。かかる構成により，第２防水テープ１０４により外側ドア布地１０２に形成された裁縫線１１１を通じて雨水が侵入できないので，優れた外側ドア布地１０２の防水効果が得られる。
【００４４】
一方，内側ドア布地１１２に縫着される第１水平ジッパテープ１１３ａの水平ジッパ歯と外側ドア布地１０２の第２水平ジッパテープ１０３ａの水平ジッパ歯は，本体布地１０１に縫着された下部ジッパテープ１１３のジッパ歯と結合及び分離する。
【００４５】
従来は，図３に示すように下部ジッパテープ６を網状布地１２１のジッパテープと共に本体布地１０１に縫着したので，裁縫線を通じて雨水が侵入することがあった。
【００４６】
しかし，本実施の形態によれば，本体布地１０１の端部に網状布地１２１のジッパテープを縫着し，ジッパテープと所定の間隔をおいて本体布地１０１の表面に下部ジッパテープ１１９を雨水排出布地１０７と共に縫着する。
【００４７】
かかる構成により，本体布地１０１の端部に縫着される網状布地１２１のジッパテープには下部防水テープ１０８が粘着しないため，下部防水テープ１０８を粘着するためには，図４及び図７に示すように，下部ジッパテープ１１９を網状布地１２１のジッパテープに離隔させて縫着する。
【００４８】
したがって，下部ジッパテープ１１９が縫着された本体布地１０１の裏面の裁縫線部位に下部防水テープ１０８を容易に粘着できる。
【００４９】
このように下部防水テープ１０８を粘着させることによって，下部ジッパテープ１１９の裁縫線を通じて雨水が侵入することを確実に防止することができる。
【００５０】
一方，内側及び外側ドア布地１１２，１０２に縫着される第１及び第２水平ジッパテープ１１３ａ，１０３ａの下部には防水テープを粘着できない。
したがって，本発明では防水テープの粘着の代りに，円滑な排水過程を通じて第１及び第２水平ジッパテープ１１３ａ，１０３ａの下部に形成された裁縫線に侵入した雨水を排出できるようにする。
【００５１】
すなわち，第１及び第２水平ジッパテープ１１３ａ，１０３ａの下段に形成された裁縫線に侵入した雨水は，第１及び第２水平ジッパテープ１１３ａ，１０３ａの水平ジッパ歯と下部ジッパテープ１１９のジッパ歯との間を通過して図７に示すように外側に排水される。
【００５２】
この時，下部ジッパテープ１１９と共に本体布地１０１に裁縫されている雨水排出布地１０７は，その裁縫線が下部防水テープ１０８により防水処理が完了された状態であるから，雨水は雨水排出布地１０７の裁縫線に侵入できず，外側に流れて排出される。
【００５３】
次に，上記構造を有する本実施の形態にかかるテント用ドアの防水構造形成方法について説明する。
【００５４】
本実施の形態に係る防水構造の形成方法は，第１垂直ジッパテープ１１３に第１補助布地１１７の一側を縫着するステップと，縫着した第１補助布地１１７の他側に雨水誘導布地１１８を縫着するために雨水誘導布地１１８の両端部を折り畳むステップと，折り畳んだ雨水誘導布地１１８の両端部の間に内側ドア布地１１２を挿入するステップと，雨水誘導布地１１８の一端と挿入した内側ドア布地１１２を第１補助布地１１７に縫着するステップと，縫着ステップで得られた裁縫線部位を通じて雨水が侵入することを防止するために本体布地１０１の裏面に形成される裁縫線部位に第１防水テープ１１４を粘着するステップとからなる。
【００５５】
そして，外側ドア布地１０２に第２垂直ジッパテープ１０３を縫着するために，第２補助布地１０９を外側ドア布地１０２に縫着するステップと，第２補助布地１０２の裁縫時に生じる裁縫線部位から雨水が侵入することを防止するために，外側ドア布地１０２の裏面の裁縫線部位に第２防水テープ１０４を粘着するステップを更に含む。
【００５６】
また，内側及び外側ドア布地１１２，１０２に縫着した第１及び第２水平ジッパテープ１１３ａ，１０３ａの裁縫線部位から侵入した雨水を外側に排出するために，下部ジッパテープ１１９と共に本体布地１０１の下部に雨水排出布地１０７を縫着するステップと，水排出布地１０７の裁縫時に生じる裁縫線部位から雨水が侵入することを防止するために，本体布地１０１の裏面の裁縫線部位に下部防水テープ１０８を粘着するステップとを更に含む。
【００５７】
これを詳細に調べてみると，第１補助布地の縫着ステップでは第１補助布地１１７を所定の幅と長さに裁断した後，第１垂直ジッパテープ１１３に一端を接触させて縫着する。
【００５８】
そして，雨水誘導布地１１８の折り畳みステップでは，所定の幅と長さに裁断した布地を半々に折り畳んだ後，雨水誘導布地１１８の一端を第１補助布地の縫着ステップで得た第１補助布地１１７と接触させる。
【００５９】
また，内側ドア布地１１２の挿入ステップでは，雨水誘導布地の折り畳みステップで得た雨水誘導布地１１８の両端部間に内側ドア布地１１２を差し入れる。
【００６０】
そして，縫着ステップでは，内側ドア布地の挿入ステップで得た雨水誘導布地１１８の一端と内側ドア布地１１２を第１補助布地１１７に縫着する。
【００６１】
また，第１防水テープの粘着ステップでは，裁縫ステップで得た裁縫線部位から雨水が侵入するのを防止するために，本体布地１０１の裏面に形成される裁縫線部位に第１防水テープ１１４を粘着する。
【００６２】
このように第１垂直ジッパテープ１１３に縫着された第１補助布地１１７に雨水誘導布地１１８と内側ドア布地１１２を同時に縫着することにより，内側ドア布地１１２の方向に侵入する雨水を防止することができ，作業能率も向上させることができる。
【００６３】
そして，第２補助布地１０９の縫着ステップでは，外側ドア布地１０２に第２ジッパテープ１０３を縫着できるように所定の幅と長さに裁断した第２補助布地１０９を外側ドア布地１０２に縫着する。
【００６４】
また，第２防水テープの粘着ステップでは，第２補助布地の裁縫ステップで第２補助布地１０９の縫着時に生じる裁縫線部位から雨水が侵入できないように，外側ドア布地１０２の裏面の裁縫線部位に第２防水テープ１０４を粘着する。したがって，外側ドア布地１０２の裁縫線１１１から雨水が侵入することを防止できる。
【００６５】
一方，雨水排出布地の縫着ステップでは，内側及び外側ドア布地１１２，１０２の下部に縫着されてジッパ歯を本体布地１０１に縫着した下部ジッパテープ１１９のジッパ歯と組合わせる第１及び第２水平ジッパテープ１１３ａ，１０３ａの裁縫線部位から侵入した雨水を外側に排出するために，下部ジッパテープ１１９と共に本体布地１０１下部に雨水排出布地１０７を縫着する。
【００６６】
そして，下部防水テープの粘着ステップでは，雨水排出布地の縫着ステップの雨水排出布地１０７を裁縫時に生じる裁縫線部位から雨水が侵入できないように，本体布地１０１の裏面の裁縫線部位に下部防水テープ１０８を粘着する。したがって，本体布地１０１に裁縫した下部ジッパテープ１１９の裁縫線部位から雨水が侵入することを防止できる。
【図面の簡単な説明】
【００６７】
【図１】図１は，従来のテント用ドアの構造を表す図面である。
【図２】図２は，図１のＣ−Ｃ線拡大断面図である。
【図３】図３は，図１のＤ−Ｄ線拡大断面図である。
【図４】図４は，本発明のテント用ドアの防水構造及び方法を説明するための図面である。
【図５】図５は，本発明のテント用ドアの防水作用を説明するための図面である。
【図６】図６は，図５のＡ−Ａ線拡大断面図である。
【図７】図７は，図５のＢ−Ｂ線拡大断面図である。
【符号の説明】
【００６８】
１０１  本体布地
１０２  外側ドア布地
１０３  第２垂直ジッパテープ
１０３ａ  第２水平ジッパテープ
１０４  第２防水テープ
１０５  ベルクロファスナー
１０６  垂直スライダ
１０７  雨水排出布地
１０８  下部防水テープ
１０９  第２補助布地
１１１  裁縫線
１１２  内側ドア布地
１１３  第１垂直ジッパテープ
１１３ａ  第１水平ジッパテープ
１１４  第１防水テープ
１１５  マジックベルト
１１６  水平スライダ
１１７  第１補助布地
１１８  雨水誘導布地
１１９  下部ジッパテープ
１２０  空間部
１２１  網状布地
【図１】
2005155305.tif 000003
【図２】
2005155305.tif 000004
【図３】
2005155305.tif 000005
【図４】
2005155305.tif 000006
【図５】
2005155305.tif 000007
【図６】
2005155305.tif 000008
【図７】
2005155305.tif 000009